(57)【特許請求の範囲】
【請求項１】
メガホンのアンプに電源を供給するメガホン電源端子とアンプの電源ラインとの接続を開閉する半導体スイッチと、該半導体スイッチのオン・オフ動作を制御する制御用トランジスタを備え、該制御用トランジスタを、上記メガホン電源端子より低電圧で、電気機器の防爆構造の適用範囲の定格値に近い電圧の制御用電源端子と上記制御用トランジスタの間に接続したメガホンスイッチにより制御することによって、上記半導体スイッチを制御することを特徴とするメガホン。
【請求項２】
上記メガホン電源端子は、複数個の電池を直列接続したメガホン電池より導出され、上記制御用電源端子は、上記メガホン電池の１個目の電池より導出されることを特徴とする請求項１記載のメガホン。
【請求項３】
上記半導体スイッチは、パワーＭＯＳ−ＦＥＴよりなり、ソースが上記メガホン電源端子に接続され、ドレインがアンプの電源ラインに接続され、ゲートが上記制御用トランジスタのコレクタに接続され、該制御用トランジスタのベースはメガホンスイッチを介して上記制御用電源端子に接続されることを特徴とする請求項１記載のメガホン。
【発明の詳細な説明】
【０００１】
【発明の属する技術分野】
本発明は、メガホンの電気回路に関し、特に要注意場所での使用を可能にするメガホンの電気回路に関する。
【０００２】
【従来の技術】
１９７９年労働省産業安全研究所発行「産業安全研究所技術指針」の「工場電気設備防爆指針」（ガス蒸気防爆  １９７９）、又はＪＩＳ  Ｃ０９３０等において、「耐圧防爆構造」は、容器の内部で爆発性ガスの爆発が起こった場合に、容器が爆発圧力に耐え、かつ、外部の爆発性雰囲気への火災の伝播を防止するようにした防爆構造をいう、と定義されている。同「内圧防爆構造」は、容器の内部に保護気体を送入又は封入し、その圧力を容器外周の圧力より高く保持することによって、通電中に周囲の爆発性雰囲気が容器の内部に侵入しないようにした防爆構造をいう、と定義されている。同「安全増防爆構造」は、正常な使用状態では、爆発性雰囲気の点火源となり得る電気火花、高温部を発生しない電気機器について、これらが発生するおそれのないように電気的、機械的及び温度的に安全度を高めた防爆構造をいう、と定義されている。同「本質安全防爆構造」は、正常状態及び仮定した異常状態において、電気回路に発生する電気火花が規定された試験条件で所定の試験ガスに点火せず、かつ、高温により爆発性雰囲気に点火するおそれのないようにした防爆構造をいう、と定義されている。同「油入防爆構造」は、容器内における電気火花を発生する部分を油中に納め、油面上及び容器の外部に存在する爆発性雰囲気に点火するおそれがないようにした防爆構造をいう、と定義されている。さらに同「特殊防爆構造」は、「耐圧防爆構造」「内圧防爆構造」「安全増防爆構造」「本質安全防爆構造」「油入防爆構造」以外の方法によって爆発性雰囲気の点火を防止できる防爆構造をいう、と定義されている。
【０００３】
更に１９８５年労働省産業安全研究所発行「産業安全研究所技術指針」の「新・工場電気設備防爆指針」（ガス蒸気防爆  １９８５）第５編電気機器の防爆構造において、定格電圧１．２Ｖ、定格電流０．１Ａ、電気的エネルギー２０μＪ又は定格電力２５ｍＷを越えることがない電気機器及び電気部品に対しては、電気機器の防爆構造を適用しない、旨記載されている。
【０００４】
メガホンは電池を電源として作動し、プラント、装置、機器などの運転や工事現場、事故現場及びその周囲等の危険場所及び要注意場所で、命令、指示、案内、放送等のためメガホンを使用する場合、大出力が要求される一方、安全確保のため上記「耐圧防爆構造」「内圧防爆構造」「安全増防爆構造」「本質安全防爆構造」「油入防爆構造」「特殊防爆構造」を備え、また電気機器の防爆構造の適用範囲の定格値以下であることが望ましい。大出力メガホンを得るため、複数個の電池を直列接続して高電圧でアンプを動作させており、電源スイッチはこの高電圧をＯＮ・ＯＦＦしている。
【０００５】
【発明が解決しようとする課題】
大出力メガホンを得るため、高電圧でアンプを動作させており、電源スイッチはこの高電圧をＯＮ・ＯＦＦしなければならない。そして、アンプはコンデンサ、コイルのように過渡特性を有する部品を使用しているので、電源スイッチのＯＮ・ＯＦＦ時に火花を発生する恐れがあり、爆発性雰囲気の点火源となる恐れがあり、要注意場所で使用することができなかった。
【０００６】
このような問題点を解決するため、メガホンに「耐圧防爆構造」「内圧防爆構造」「安全増防爆構造」「本質安全防爆構造」「油入防爆構造」「特殊防爆構造」を備え、また電気機器の防爆構造の適用範囲の定格値以下とするメガホンが考えられるが、このようなメガホンは、構造が複雑であるとともに、大形で大重量となり、しかも高価となることが想像され、防爆メガホンは商品化されていないし、提案もない。本発明は上記電気機器の防爆構造の適用範囲の定格値以下とする電気回路を構成し、要注意場所での使用を可能するものである。
【０００７】
危険場所の区分は、１９７９年労働省産業安全研究所発行「産業安全研究所技術指針」の「工場電気設備防爆指針」（ガス蒸気防爆１９７９）において、「０種場所」は、危険ふん囲気が通常の状態において、連続して又は長時間持続して存在する場所をいう、「１種場所」は、通常の状態において、危険ふん囲気を生成するおそれがある場所をいう、「２種場所」は、異常な状態において、危険ふん囲気を生成するおそれのある場所をいう、と定義されている。そして、地震その他予想を超えた事故で発生のひん度が極めて少なく、爆発性ガスの漏えいが大量で、電気設備の防爆対策の範囲を超える場合は、２種場所でいう異常な状態に含めないで、要注意場所と呼ぶ、と定義されている。
【０００８】
【課題を解決するための手段】
本発明の請求項１は、メガホンのアンプに電源を供給するメガホン電源端子とアンプの電源ラインとの接続を開閉する半導体スイッチと、該半導体スイッチのオン・オフ動作を制御する制御用トランジスタを備え、該制御用トランジスタを、上記メガホン電源端子より低電圧で、電気機器の防爆構造の適用範囲の定格値に近い電圧の制御用電源端子と上記制御用トランジスタの間に接続したメガホンスイッチにより制御することによって、上記半導体スイッチを制御することを特徴とし、この構成により上記課題を解決する。
【０００９】
本発明の請求項２は、上記メガホン電源端子は、複数個の電池を直列接続したメガホン電池より導出され、上記制御用電源端子は、上記メガホン電池の１個目の電池より導出することを特徴とし、それにより上記目的を達成する。
【００１０】
本発明の請求項３は、上記半導体スイッチは、パワーＭＯＳ−ＦＥＴよりなり、ソースが上記メガホン電源端子に接続され、ドレインがアンプの電源ラインに接続され、ゲートが上記制御用トランジスタのコレクタに接続され、該制御用トランジスタのベースはメガホンスイッチを介して上記制御用電源端子に接続されることを特徴とし、それにより上記目的を達成する。
【００１１】
本発明の請求項１の発明は、メガホンのアンプに電源を供給するメガホン電源端子とアンプの電源ラインとの接続を開閉する半導体スイッチと、該半導体スイッチのオン・オフ動作を制御する制御用トランジスタを備え、該制御用トランジスタを、上記メガホン電源端子より低電圧で、電気機器の防爆構造の適用範囲の定格値に近い電圧の制御用電源端子と上記制御用トランジスタの間に接続したメガホンスイッチにより制御することによって、上記半導体スイッチを制御するから、アンプの電源ラインの開閉素子を半導体スイッチと制御用トランジスタのように半導体素子で構成することができ、機械的な接点の開閉がなくなるので、火花の発生がなくなる。またメガホンスイッチは、メガホン電源端子より低電圧で、電気機器の防爆構造の適用範囲の定格値に近い電圧の制御用電源端子と制御用トランジスタの間に接続され、この間を開閉するので、低電圧の回路を開閉すればよく、電気機器の防爆構造の適用範囲の定格値に近くすることができる。
【００１２】
また、請求項２の発明は、上記請求項１において、上記メガホン電源端子は、複数個の電池を直列接続したメガホン電池より導出され、上記制御用電源端子は、上記メガホン電池の１個目の電池より導出することにより、制御用トランジスタを電池１個分の電圧（１．５Ｖ）で動作させているので、上記電気機器の防爆構造の適用範囲の定格電圧（１．２Ｖ）に近くすることができる。従って、「安全増防爆構造」又は「本質安全防爆構造」とすることができる。
【００１３】
更に、請求項３の発明は、上記請求項１において、上記半導体スイッチは、パワーＭＯＳ−ＦＥＴよりなり、ソースが上記メガホン電源端子に接続され、ドレインがアンプの電源ラインに接続され、ゲートが上記制御用トランジスタのコレクタに接続され、該制御用トランジスタのベースはメガホンスイッチを介して上記制御用電源端子に接続されるから、制御用トランジスタによって半導体スイッチを制御することができ、しかもこの制御用トランジスタは低電圧の制御用電源端子をスイッチングするメガホンスイッチによって動作するので、メガホンスイッチは低電圧のＯＮ・ＯＦＦでよく、上記電気機器の防爆構造の適用範囲の定格電圧（１．２Ｖ）に近くすることができる。従って、「安全増防爆構造」又は「本質安全防爆構造」とすることができる。
【００１４】
【発明の実施の形態】
本発明のメガホンは、図１（ａ）に電池カバーを取り外した状態の側面図、図１（ｂ）に背面図を示すように、外観的にホーンマウス１と、ハンドル３が取り付けられたアンプケース２と、６個のメガホン用乾電池を収納する電池カバー４と、マイクカバー５の４部分に分離される。
【００１５】
ホーンマウス１は、図２に図１（ｂ）のＺ−Ｚ′断面図を示すように、内部にリング状永久磁石１１、ヨーク１２、プレート１３よりなる磁気回路を収納し、ヨーク１２とプレート１３との間に形成される磁気ギャップにボイスコイルが挿入される。ボイスコイルの上端はドーム状振動板１４に結合され、ボイスコイルに入力された音声信号が磁気回路とともに作用して振動板１４の振動に変換される。振動板１４の前方にはイコライザ１５、スロート１６、レフレクタ１７、１８が取り付けられ、ホーンマウス１の先端開口部より音声が放出される。レフレクタ１８はホーンマウス１にネジ１９によりネジ止めされるともに、ネジ１９がアンプケース２に締め込まれ、ホーンマウス１とアンプケース２を結合している。このホーンマウス１とアンプケース２を結合する際、磁気回路の後方外周をゴム、柔軟性樹脂よりなる防水パッキング６で覆うように取り付け、ホーンマウス１とアンプケース２の間隙を充填して気密及び防水構造にしている。
【００１６】
アンプケース２の内部には、アンプ防水ケース２２とボリュウム・スイッチボックス２５を収納する。アンプ防水ケース２２は、アンプを構成するＬＳＩ、ＩＣ、抵抗、コンデンサ等の電気部品（図示しない）を搭載するプリント配線基板２１、その他を内蔵する。ボリュウム・スイッチボックス２５は、ボリュウム２３、メガホンの電源スイッチ２４（スイッチ２４は防浸型であることが望ましい。）を内蔵し、上記アンプ防水ケース２２にネジ止めされる。
【００１７】
電源スイッチ２４は取付金具３０の垂直部分に取り付けられ、ボリュウム２３は水平部分に回転軸をボリュウム・スイッチ防水パッキング９の穴に通して固定される。電源スイッチ２４、ボリュウム２３、パッキング９を取り付けた取付金具３０はボリュウム・スイッチボックス２５の内部に収納され、パッキング９はボリュウム・スイッチボックス２５と共締めによりアンプ防水ケース２２に取り付けられる。上記ボリュウム・スイッチ防水パッキング９は、アンプ防水ケース２２とボリュウム・スイッチボックス２５より火花が漏洩するのを防止し、また防水を行う。このボリュウム・スイッチボックス２５には、ボリュウム２３の回転軸２７が突出する穴が形成されており、回転軸２７とボリュウム・スイッチボックス２５の間に火花の漏洩防止及び防水のためＯリング２９が嵌められている。回転軸２７に回転ツマミ２８が取り付けられ、その一部がハンドル３の後方側に臨出している。また上記電源スイッチ２４のアクチュエータ３１に対向するボリュウム・スイッチ防水パッキング９の部分に突起９ａが形成され、ハンドル３の前方側にその一部が臨出しているスイッチノブ３２の作動板３３に対向している。従って、ボリュウム２３は回転ツマミ２８により操作することができ、電源スイッチ２４はスイッチノブ３２により操作することができる。
【００１８】
電池カバー４の後方に円形の後方開口部４０を形成し、この後方開口部４０に、マイクユニット５１ａ、５１ｂを収納するマイクカバー５を嵌め込む。マイクユニット５１ａがメインのコンデンサマイクであり、音声入力を受け付ける。マイクユニット５１ｂがサブのコンデンサマイクであり、メガホンの周囲音を受けノイズをキャンセルする。特にメガホンより発生した音声信号によるハウリング防止に効果がある。後方開口部４０の内周囲には電池カバー４とマイクカバー５の間より火花が漏洩するのを防止し、また防水のため、防水パッキング３９が挿入される。
【００１９】
防水パッキング３９の詳細を、図３（ａ）の組立前の断面図、図３（ｂ）の組立後の断面図、図３（ｃ）の防水パッキング３９の断面図を参照して、以下に説明する。電池カバー４の後方開口部４０の後側面に防水パッキング３９の肉厚分だけ面とりされ、段差部４ａが形成される。防水パッキング３９の肉厚は電池カバー４の肉厚の半分から１／３程度である。これにより電池カバー４の後方面は防水パッキングと面一にされ、外観がよくなる。防水パッキング３９は上記後方開口部４０の形状に合わせてリング状に形成され、その外周側は後方開口部４０の内径端縁の３面と密着するよう内側面３９ａ、外側面３９ｂ、外周面３９ｃよりなるコ字形に形成される。また内周側はマイクカバー５に密着するよう内側突部３９ｄ、外側突部３９ｅ、内周凹部３９ｆが形成される。内側突部３９ｄ、外側突部３９ｅの間隔Ｓ１は、内側面３９ａと外側面３９ｂの間隔Ｓ２より大きい方が望ましい。
【００２０】
図３（ａ）に示すように、組立前に防水パッキング３９を後方開口部４０に嵌め、そして電池カバー４をマイクカバー５に被せ、後方開口部４０よりマイクカバー５を突出させ、外周突起５８が当接し、防水パッキング３９がマイクカバー５の外周面に完全密着するまで挿入する。防水パッキング３９はその外周側の内側面３９ａ、外側面３９ｂ、外周面３９ｃの３面が後方開口部４０の内径端縁と３面で密着し、また内周側の内側突部３９ｄ、外側突部３９ｅの２面がマイクカバー５の外周面と２面で接触し、内周凹部３９ｆがマイクカバー５の外周面に吸着するから、電池カバー４、マイクカバー５、防水パッキング３９の寸法精度及び各部分の位置合わせ精度を吸収して、面接触することができ、防水効果が高い。
【００２１】
上記構造のマイクカバー５は、電池ケース上４１と電池ケース下４２が６本のネジ４３により固定され一体化された電池ケースに、６本のネジ４４により組み合わせられ、マイクカバー５と電池カバー４が一体化される。電池ケース上４１と電池ケース下４２を組み合わせて構成される電池ケースは、電池ケース上４１の中心筒部Ａと電池端子支持部Ｂとからなり、中心筒部Ａの周囲に等間隔に放射状に６個の単二電池５０を収納する。電池ケース下４２は単二電池の負極に接触する負極端子板４５が貫通する穴を備え、この負極端子板４５の後部は電池用回路基板３８上の配線ランド部にナット４５ａによりネジ止めされる。電池用回路基板３８は第１の電池の負極と第２の電池の正極を接続する回路配線が形成されている。
【００２２】
また図４に示すように、電池ケース上４１には単二電池５０の正極に接触する正極端子板４６が電池端子支持部Ｂに取り付けられる。電池端子板４６は一方の端部が電池端子支持部の側縁を巻き込むように断面がコ字形に折り曲げられ、ネジ４７ａとビス４７ｂにより取り付けられる。電池端子板４６の他方の端部は中心筒部Ａまで延長され、この延長端部で中心筒部Ａの内側を通って第１の電池の正極と第２の電池の負極を接続するリード線に接続される。このリード線の他端が上記電池用回路基板３８の回路配線に接続され、６個の電池を全部直列に接続する。電池用回路基板の回路配線を変えれば適宜並列または直並列に接続することができる。
【００２３】
電池端子支持部Ｂは電池端子締付ネジ４７ａを備え、この電池端子締付ネジ４７ａの締め付けにより図４（ｂ）に示すように、正極端子板４６が前進し、また電池端子締付ネジ４７ａの巻き戻しにより図４（ａ）に示すように、正極端子板４６が後退する。したがって、電池を取り外し、又は交換するときは、図４（ａ）のようにネジ４７ａを巻き戻して正極端子板４６を後退させ、電池を取り外し、又は交換を行う。そして、挿入後は図４（ｂ）のようにネジを締め付けて電池端子板４６を進出させ、電池５０を電池ケース下４２の負極端子板４５に押し付けて、メガホンの使用時にメガホンが振動あるいは傾けられても電池５０が電池端子板４６から離間しないようにし、火花が発生するのを防止する。このようにしてマイクカバー５と電池ケース上４１と一体化された電池ケース下４２は、防水パッキング８を間に挟んで、６本のネジ４８によりアンプケース２に固定される。防水パッキング８は、電池カバー４と電池ケース下４２の間より火花が漏洩するのを防止し、かつ防水を行い、またアンプケース２と電池ケース下４２の間より火花が漏洩するのを防止し、かつ防水を行う。
【００２４】
最後に、電池カバー４が嵌め込まれ、電池カバーの後方開口部４０よりマイクカバー５を突出させ、図３（ｂ）に示すように、マイクカバー５の外周突起５８が当接し、防水パッキング３９が完全に密着するまで挿入し、電池カバー４の前方開口部に形成された内ネジ４９を電池ケース下４２の外周ネジにネジ込む。
【００２５】
本発明のメガホンの回路は、図５に示すように、マイク回路１１０、マイクアンプ１１１、プリアンプ１１２、メインアンプ１１３、ホイッスル発振回路１１５、メガホン用電源制御回路１１６、ホイッスル用電源制御回路１１７、電池及びスイッチ回路１１８よりなる。マイク回路１１０は図２に示すメインマイク５１ａと、サブマイク５１ｂを接続して構成される。メインマイク５１ａ、サブマイク５１ｂの出力はボリュウム２３により構成される音量調整用の可変抵抗器１２１を介して、トランジスタ１２２、１２３よりなるマイクアンプ１１１に音声信号が供給される。マイクアンプ１１１で増幅された音声信号はトランジスタ１２４よりなるプリアンプ１１２を経て、結合トランス１２７を介してトランジスタ１２５、１２６よりなるメインアンプ１１３に供給され、スピーカ１１４より放声される。
【００２６】
一方、ホイッスル回路は、ホイッスルスイッチ１３１によりホイッスル用電源制御回路１１７を制御する。ホイッスル用電源制御回路１１７がオンになると、ホイッスル発振回路１１５を構成するトランジスタ１３４、１３５よりなる第１発振回路１３６と、トランジスタ１３７、１３８よりなる第２発振回路１３９が動作を開始し、ホイッスル信号を発生する。ホイッスル信号はプリアンプ１１２に供給され、メインアンプ１１３で増幅されて、スピーカ１１４より警報音が発生される。
【００２７】
本発明のメガホン用電源制御回路１１６は、ＰチャンネルパワーＭＯＳ−ＦＥＴ１４１とＰＮＰ型の制御用トランジスタ１４２を備え、図１のハンドル３０の部分に設けた引き金式のスイッチノブ３２により電源スイッチ２４が操作されて、メガホンスイッチ１４３がＯＮ・ＯＦＦに切り換えられると、制御用トランジスタ１４２がオン又はオフ状態に変化し、これによってパワーＭＯＳ−ＦＥＴ１４１がオン又はオフ状態に制御される。ここでパワーＭＯＳ−ＦＥＴ１４１よりなる半導体スイッチは複数個の電池（この実施例では６個）を直列接続したメガホン電池より導出されたメガホン電源端子（９Ｖ）とアンプの電源ラインとの接続を開閉し、制御用トランジスタ１４２は上記メガホン電池の１個目の電池より導出した制御用電源端子（１．５Ｖ）の電圧によってＯＮ・ＯＦＦが制御される。
【００２８】
即ち、６個の電池を直列接続したメガホン電池の正電位をメガホン電源端子１４６としてパワーＭＯＳ−ＦＥＴ１４１のソースに接続し、ドレインをアンプ１１１、１１２、１１３の電源ライン、より詳細にはアンプ１１３の電源ラインに直接に接続され、更に抵抗を介してアンプ１１１および１１２の電源ラインに接続される。ゲートは制御用トランジスタ１４２のコレクタに接続され、エミッタは接地電位に接続される。ベースはメガホンスイッチ１４３を介して上記メガホン電池の最下位電位である制御用電源端子１４８に接続される。従って、メガホンスイッチ１４３がオンに操作されると、制御用トランジスタ１４２にベース電流が流れ、制御用トランジスタ１４２がオン状態となり、コレクタとメガホン電源端子間の抵抗１４５を介してオン電流が流れる。このためパワーＭＯＳ−ＦＥＴ１４１がオン状態となり、アンプ１１１、１１２、１１３に電源電流を供給する。メガホンスイッチ１４３がオフ状態に操作されると、制御用トランジスタ１４２のベース電流がなくなってオフ状態となり、そのためパワーＭＯＳ−ＦＥＴ１４１がオフ状態となり、アンプ１１１、１１２、１１３の電源ラインをオフにする。
【００２９】
ホイッスル用電源制御回路１１７のＰチャンネルパワーＭＯＳ−ＦＥＴ１３３、制御用ＰＮＰトランジスタ１３２も上記メガホン用電源制御回路１１６と同様に構成され、ホイッスルスイッチ１３１、１３１ａがオンに操作されると、上記メガホン用電源制御回路１１６と同様に動作する。
【００３０】
このように本発明のメガホンスイッチ１４３、及びホイッスルスイッチ１３１は、電池１個分の電圧（１．５Ｖ）をスイッチするだけであるから、新・工場電気設備防爆指針（ガス防爆１９８５）で定められた定格値である、定格電圧１．２Ｖ、定格電流０．１Ａ、電気的エネルギー２０μＪ、又は定格電力２５ｍＷに近づき、安全性が向上する。
【００３１】
本発明はメガホン用電源制御回路を半導体素子で構成し、機械的な接点の開閉をなくしているので、火花の発生がなくなる。またメガホンスイッチは、メガホン電源端子より低電圧で、電気機器の防爆構造の適用範囲の定格値に近い電圧の制御用電源端子と制御用トランジスタの間に接続され、この間を開閉するので電気機器の防爆構造の適用範囲の定格値に近くすることができる。また本発明は、メガホン電源端子より低電圧の制御用電源端子を備え、該制御用電源端子は電池１個分の電圧（１．５V）であるから、電気機器の防爆構造の適用範囲の定格値（１．２V）に近くすることができる。更に本発明は、パワーMOS−FETと制御用トランジスタの接続により、制御用トランジスタによってパワーMOS−FETを制御することができ、制御用トランジスタは低電圧の制御用電源端子をスイッチングするメガホンスイッチによって動作するので、メガホンスイッチは低電圧の開閉でよく、電気機器の防爆構造の適用範囲の定格値（１．２V）に近くすることができる。
【００３２】
本発明では、電池端子締付ネジによってメガホン用電池を負極端子板に押し付けているので、メガホンの使用によってメガホンが傾いたり、振動してもメガホン用電池が傾いたり振動するのを防止することができ、従ってメガホン用電池の正極又は負極と電池端子板の間に間隙が生じるのを防止し、火花の発生を防止することができる。
【００３３】
以上の構造によって、本発明のメガホンは、通常のメガホンと大きさ、重量を増加させることなく、要注意場所での使用を可能にする。
【図面の簡単な説明】
【図１】（ａ）は本発明のメガホンにおいて電池カバーを取り外した状態の側面図、（ｂ）は背面図である。
【図２】図１（ｂ）のＺ−Ｚ′の断面図である。
【図３】電池カバーとマイクカバーの部分の断面図である。
【図４】電池と正極端子板部分の断面図である。
【図５】本発明のメガホンの電気回路図である。
【符号の説明】
１    ホーンマウス
２    アンプケース
３    ハンドル
４    電池カバー
５    マイクカバー
６    防水パッキング
７    圧力調整パッキング
８    防水パッキング
９    ボリュウム・スイッチ防水パッキング
２２  アンプ防水ケース
２５  ボリュウム・スイッチボックス
２９  Ｏリング
３７  流通孔
３９  防水パッキング
４１  電池ケース上
４２  電池ケース下
４５  負極端子板
４６  正極端子板
４７  電池端子板締付ネジ
５０  メガホン用電池
Ａ    中心筒部
Ｂ    電池端子支持板
１１１  マイクアンプ
１１２  プリアンプ
１１３  メインアンプ
１１５  ホイッスル発振器
１１６  メガホン用電源制御回路
１１７  ホイッスル用電源制御回路
１１８  電池及びスイッチ回路
１４１  パワーＭＯＳ−ＦＥＴ
１４２  制御用トランジスタ
１４３  メガホンスイッチ
１４５  抵抗
１４６  メガホン電源端子
１４８  制御用電源端子
【図１】
0003596988.tif 000002
【図２】
0003596988.tif 000003
【図３】
0003596988.tif 000004
【図４】
0003596988.tif 000005
【図５】
0003596988.tif 000006